(57)【要約】【課題】  多数の蛍光灯の切り替えが必要な者が、コストの負担を強いられることなく、蛍光灯型ＬＥＤ照明への切り替えを進めることができる蛍光灯型ＬＥＤ照明を提供する。【解決手段】  本発明は、ＬＥＤを光源としつつも蛍光灯の形態および規格を備えた蛍光体型ＬＥＤ照明１であって、管体２の外表面に宣伝広告媒体８を備え、該宣伝広告媒体８は、表面が宣伝広告を記載する宣伝広告面とされ、裏面が接着面とされ、宣伝広告面には、会社のロゴ、ホームページなどにリンクさせるためのＱＲコードまたはバーコードが記載されている。【選択図】  図１
2013029719.tif 000002
【特許請求の範囲】
【請求項１】
ＬＥＤを光源としつつも蛍光灯の形態および規格を備えた蛍光体型ＬＥＤ照明であって、
管体の外表面に宣伝広告媒体を備えることを特徴とする蛍光体型ＬＥＤ照明。
【請求項２】
前記宣伝広告媒体には、少なくとも会社のロゴが記載されていることを特徴とする請求項１に記載の蛍光体型ＬＥＤ照明。
【請求項３】
前記宣伝広告媒体には、企業のホームページにリンクさせるためのＱＲコードまたはバーコードが記載されていることを特徴とする請求項１または請求項２に記載の蛍光体型ＬＥＤ照明。
【請求項４】
前記宣伝広告媒体は、表面が宣伝広告を記載する宣伝広告面とされ、裏面が接着面とされていることを特徴とする請求項１乃至請求項３のいずれか１項に記載の蛍光体型ＬＥＤ照明。
【発明の詳細な説明】
【技術分野】
【０００１】
本発明は、宣伝広告媒体を備えた蛍光灯型ＬＥＤ照明に関するものである。
【背景技術】
【０００２】
環境問題や節電対策のために従来の蛍光灯からＬＥＤを使用した照明（以下、蛍光灯型ＬＥＤ照明と称す。）へと切り替わりつつあり、多種の蛍光灯型ＬＥＤ照明が販売されている。しかしながら、従来の蛍光灯から蛍光灯型ＬＥＤ照明に変更するためには大がかりな工事が必要な場合があった。そこで、従来の蛍光灯と同じ規格で使用可能な蛍光灯型ＬＥＤ照明が提案されている（例えば、特許文献１）。しかし、ビルや電車（鉄道車両）のように多数の蛍光灯が使用されている所では、従来の蛍光灯から蛍光灯型ＬＥＤ照明へと切り替えるには多額のコストが必要となる。価格を安く抑えた蛍光灯型ＬＥＤ照明が販売されているものの、従来の蛍光灯の５倍から１０倍ほどの価格帯となっている。
【先行技術文献】
【特許文献】
【０００３】
【特許文献１】特開２００９−３０２０２８号公報
【発明の概要】
【発明が解決しようとする課題】
【０００４】
本発明は、ビルの管理業者や鉄道業者など多数の蛍光灯を所有している者が、コストの負担を強いられることなく、従来の蛍光灯から蛍光灯型ＬＥＤ照明へと切り替えを進めることができる蛍光灯型ＬＥＤ照明を提供することを目的としている。
【課題を解決するための手段】
【０００５】
本発明の請求項１に記載の発明は、ＬＥＤを光源としつつも蛍光灯の形態および規格を備えた蛍光体型ＬＥＤ照明であって、管体の外表面に宣伝広告媒体を備えることを特徴とする。
【０００６】
本発明の請求項２に記載の蛍光体型ＬＥＤ照明において、前記宣伝広告媒体には、少なくとも会社のロゴが記載されていることを特徴とする。
【０００７】
本発明の請求項３に記載の蛍光体型ＬＥＤ照明において、前記宣伝広告媒体には、企業のホームページにリンクさせるためのＱＲコードまたはバーコードが記載されていることを特徴とする。
【０００８】
本発明の請求項４に記載の蛍光体型ＬＥＤ照明において、前記宣伝広告媒体は、表面が宣伝広告を記載する宣伝広告面とされ、裏面が接着面とされていることを特徴とする。
【発明の効果】
【０００９】
本発明によれば、ビルの管理業者や鉄道業者など多数の蛍光灯を所有している者が、コストの負担を強いられることなく、従来の蛍光灯から蛍光灯型ＬＥＤ照明へと切り替えを進めることができる蛍光灯型ＬＥＤ照明を提供することができる。
【００１０】
すなわち、蛍光灯型ＬＥＤ照明が管体の外表面に宣伝広告媒体を備えることにより、宣伝広告の費用で従来の蛍光灯から蛍光灯型ＬＥＤ照明へ交換することができる。よって、従来の蛍光灯から蛍光灯型ＬＥＤ照明に交換するコストを削減でき、蛍光灯型ＬＥＤ照明の普及に貢献できることとなる。
【図面の簡単な説明】
【００１１】
【図１】本発明の実施形態に係る蛍光灯型ＬＥＤ照明の正面図である。
【図２】本発明の実施形態に係る蛍光灯型ＬＥＤ照明の一部を拡大した図である。
【発明を実施するための形態】
【００１２】
以下、本発明の実施形態を図に基づいて詳細に述べる。図１は、本実施形態の蛍光灯型ＬＥＤ照明１の正面図であり、図２は、蛍光灯型ＬＥＤ照明１の部分拡大図である。
【００１３】
本実施形態の蛍光灯型ＬＥＤ照明１は、図１に示すように、ＬＥＤを光源としつつも従来の蛍光灯と同一の形態および規格を備え、管体２の外表面に宣伝広告媒体８が貼付されている。すなわち、蛍光灯型ＬＥＤ照明１は、透光性を有する管体２と、管体２の両端に装着された２つの照明側ソケット３と、管体２の外表面の両端近傍に貼付された２枚の宣伝広告媒体８と、を備える。
【００１４】
管体２は、筒状で透明（または半透明）の樹脂やガラスで形成されている。そして、管体２の内側には図示しないが複数のＬＥＤが配置されている。この管体２は、一般的に直径が２．５ｃｍ〜３．５ｃｍである。なお、管体２は、一体成型されていても、複数の部材を組み合わせて形成されていてもよい。
【００１５】
照明側ソケット３は、複数のＬＥＤに通電するための部材であり、ＡＣ／ＤＣコンバータやコンデンサー、電力ピンなどを備えている。また、照明側ソケット３は、従来の蛍光灯の照明側ソケットが嵌合される受け側ソケットに、従来の蛍光灯と同様に装着可能とされている。
【００１６】
宣伝広告媒体８は、透光性を有した（透明、または、半透明な）樹脂や紙葉などで形成されており、図２に示すように、表面を宣伝広告が記載される宣伝広告面とされ、裏面を接着面とされている。宣伝広告媒体８の表面に記載される宣伝広告としては、会社の名称やイベントの名前、ＱＲコードやバーコードなどがある。図２においては、『○×商事』という会社の名称、『日本を元気に！』というキャッチーコピー、ＱＲコードが記載されている。
【００１７】
また、宣伝広告媒体８の大きさは、宣伝広告媒体８の全体が所定の一方向から視認できるように、縦（幅が狭い側の辺の長さ）２ｃｍ、横（幅が広い側の辺の長さ）５ｃｍとされている。なお、本発明がこれらの数値に限定されるものではない。また、図１においては、１本の管体２に２枚の宣伝広告媒体８を貼付しているが、２枚に限定されるものではない。さらに、透光性を有した樹脂や紙葉で宣伝広告媒体８を形成するとしたが、必ずしも透光性を有する部材で形成する必要はない。しかし、ＬＥＤからの射出光を遮る面積を減らすために、透光性を有した部材で宣伝広告媒体８を形成するのが好適である。
【００１８】
次に、この蛍光灯型ＬＥＤ照明１の効果について鉄道会社を例にして述べる。鉄道車両には、多数の蛍光灯が使用されている。具体的には、１両に左右１２本ずつ、計２４本使用されている。運行時は６両編成から１５両編成であるとすると、１つの編成で１４４本から３６０本の蛍光灯が使用されていることとなる。鉄道会社が２０編成有しているとした場合、２８８０本から７２００本の蛍光灯が存在することとなる。これらの蛍光灯を全て蛍光灯型ＬＥＤ照明１に変更するとなると、コストは莫大なものとなる。
【００１９】
しかし、本実施形態によれば、宣伝広告を希望する者が、宣伝広告媒体８に自社の宣伝広告が記載された蛍光灯型ＬＥＤ照明１を鉄道会社に無償で提供することにより、鉄道会社には蛍光灯型ＬＥＤ照明１へ切り替えるためのコストが必要なくなる。よって、本実施形態の蛍光灯型ＬＥＤ照明１は、従来の蛍光灯から蛍光灯型ＬＥＤ照明へと切り替える動きを加速させることができる。
【００２０】
一方、宣伝広告を希望する者としては、蛍光灯型ＬＥＤ照明１を提供するだけで鉄道車両内での宣伝広告ができ、鉄道車両の中吊りや天井広告、窓のシール広告などと比較して安価で宣伝広告を行うことができる。また、本実施形態における蛍光灯型ＬＥＤ照明１は、既存の蛍光灯型ＬＥＤ照明に宣伝広告媒体８としてのシールを貼付するだけでよいため、容易に製造、実施ができることとなる。
【００２１】
さらに、従来の蛍光灯が蛍光灯型ＬＥＤ照明１に交換されることにより、電力消費量が低く抑えられ、照明としての寿命も長くなることから環境問題にも貢献できることとなる。
【００２２】
なお、本発明は、以上の実施形態に限定されるものではなく、発明の要旨を変更しない限りあらゆる設計変更が可能である。
【符号の説明】
【００２３】
１  蛍光灯型ＬＥＤ照明
２  管体
３  照明側ソケット
８  宣伝広告媒体
【図１】
2013029719.tif 000003
【図２】
2013029719.tif 000004
【手続補正書】
【提出日】平成23年8月1日(2011.8.1)
【手続補正１】
【補正対象書類名】図面
【補正対象項目名】図１
【補正方法】変更
【補正の内容】
【図１】
2013029719.tif 000005